(57)【要約】【課題】第１、第２のＬＣＤドライバにより１つのＬＣＤをダイナミック駆動するＬＣＤ駆動回路において、第１、第２のＬＣＤドライバにより表示駆動される第１、第２の表示部の境界にすじ状の線が表示されないようにする。【解決手段】ＬＣＤ３００は、マイコン１００に内蔵された第１のＬＣＤドライバおよびマイコン１００によって制御される第２のＬＣＤドライバ２００によって表示駆動される。また、第２のＬＣＤドライバ２００への電源供給を停止するスイッチ回路４００が設けられている。第２のＬＣＤドライバ２００からＬＣＤ３００にリセットコマンドが送信されて第２のドライバ２００による表示駆動が停止し、その後マイコン１００がスリープ状態となる場合に、マイコン１００は、スイッチ回路４００を制御して第２のＬＣＤドライバ２００の電源供給を停止する。【選択図】　　　　図１
2004138969.tif 000002
【特許請求の範囲】
【請求項１】
液晶表示装置を第１、第２のＬＣＤドライバによりダイナミック駆動する液晶表示装置の駆動回路において、
前記第１のＬＣＤドライバは、表示駆動の停止時に前記第１の表示部のセグメント端子およびコモン端子にローレベルの電圧を印加するものであり、
前記第２のＬＣＤドライバは、表示駆動の停止時に前記第２の表示部のセグメント端子およびコモン端子にハイレベルの電圧を印するものであり、
少なくとも前記第１、第２のドライバにより前記第１、第２の表示部の表示駆動を停止する状態において、前記第２のドライバへの電源供給を停止する電源供給停止手段を備えたことを特徴とする液晶表示装置の駆動回路。
【請求項２】
前記第１、第２のドライバを制御する制御手段を備え、この制御手段は、前記第２の表示部の表示駆動を停止させるための表示駆動停止指令を前記第２のドライバに出力するとともに、前記第２のドライバへの電源供給を停止させるための電源供給停止指令を前記電源供給手段に出力することを特徴とする請求項１に記載の液晶表示装置の駆動回路。
【請求項３】
前記制御手段は、前記第２のドライバに前記表示駆動停止指令を出力した後、前記第１のドライバによる前記第１の表示部の表示駆動を停止させるときに前記電源供給手段に前記電源供給停止指令を出力することを特徴とする請求項２に記載の液晶表示装置の駆動回路。
【請求項４】
前記制御手段は、前記第２のドライバに前記表示駆動停止指令を出力するときに、前記電源供給手段に前記電源供給停止指令を出力することを特徴とする請求項２に記載の液晶表示装置の駆動回路。
【発明の詳細な説明】
【０００１】
【発明の属する技術分野】
本発明は、複数のＬＣＤドライバで１つの液晶表示装置（以下、ＬＣＤという。）を駆動する液晶表示装置の駆動回路に関する。
【０００２】
【従来の技術】
従来より、複数の駆動回路により液晶パネルを駆動しているものがある（例えば、特許文献１参照）。
【０００３】
一方、ＬＣＤの駆動回路として、ＬＣＤドライバ回路を内蔵したマイクロコンピュータ（以下、マイコンという。）がある。
【０００４】
そして、この種のマイコンは、ＬＣＤドライバとしての機能の他にも各種処理を行うため、ＬＣＤドライバとして使用できる端子数が限られる。
【０００５】
このため、多数の表示体をＬＣＤに表示する場合には、マイコンに内蔵されたＬＣＤドライバ回路の他に、別途ＬＣＤドライバを設け、マイコンとＬＣＤドライバの双方から１つのＬＣＤの表示駆動を行っている。
【０００６】
【特許文献１】
特開昭６４−７８２９６号公報
【０００７】
【発明が解決しようとする課題】
本発明者らが検討を行った液晶表示装置の駆動回路の構成を図４に示す。図に示すように、マイコン１００（制御手段）は、ＬＣＤドライバ（第１のＬＣＤドライバ）を内蔵し、このＬＣＤドライバによりＬＣＤ３００を表示駆動する。また、マイコン１００はシリアルポートを有しており、このシリアルポートＳＯＵＴを介してＬＣＤドライバ２００（第２のＬＣＤドライバ）に表示データやリセットコマンド等のコマンドをシリアルデータとして送信する。また、ＬＣＤドライバ２００は、マイコン１００から送信される表示データに応じてＬＣＤ３００を表示駆動する。このように、マイコン１００およびＬＣＤドライバ２００の双方からＬＣＤ３００が表示駆動される。
【０００８】
なお、マイコン１００は、イグニッションキーの動作に連動するスイッチ信号ＩＧ（図示せず）が入力されるように構成されており、マイコン１００およびＬＣＤドライバ２００の各電源端子には、このスイッチ信号ＩＧと関係なく電源から電源供給されている。
【０００９】
図５に、上記ＬＣＤ３００の構成を示す。図に示すＬＣＤ３００は、セグメントタイプＬＣＤであり、セグメント端子ＳＥＧ０〜ＳＥＧ１９および８個のコモン端子を有し、これらの各端子は、マイコン１００またはＬＣＤドライバ２００に接続されている。つまり、セグメント端子ＳＥＧ０〜１１、１８、１９および４つのコモン端子ＣＯＭ１は、マイコン１００による制御用端子として使用され、また、セグメント端子ＳＥＧ１２〜１７および４つのコモン端子ＣＯＭ２はＬＣＤドライバ２００による制御用端子として使用される。
【００１０】
そして、ＬＣＤ３００の表示部は、内部の配線によりマイコン１００により制御される表示部分（第１の表示部）とＬＣＤドライバ２００により制御される表示部分（第２の表示部）に分けられる。
【００１１】
ところで、ＬＣＤには、１個のセグメント端子で１個のセグメント部の表示を行うスタティック駆動方式と、１個のセグメント端子で複数のセグメント部の表示を行うダイナミック駆動方式がある。
【００１２】
ダイナミック駆動方式のＬＣＤは、コモン端子に１／３、１／４、１／８といったデューティーのパルス波形が順次シフトして入力され、１個のセグメント端子から複数のセグメント部の表示を行う。
【００１３】
上記ＬＣＤ３００は、ダイナミック駆動方式のＬＣＤであり、各４ビットのコモン端子ＣＯＭ１、ＣＯＭ２には、１／４デューティーのパルス波形が順次シフトして入力され、１つのセグメント端子で４つのセグメントを表示する。
【００１４】
また、ＬＣＤ３００のセグメント端子ＳＥＧ０〜１９には、マイコン１００およびＬＣＤドライバ２００から、それぞれ表示データに応じたパルス波形が入力される。
【００１５】
このように、ＬＣＤ３００のセグメント端子ＳＥＧ０〜１９およびコモン端子ＣＯＭ１、ＣＯＭ２は、パルス波形の交流信号により駆動される。
【００１６】
ところが、上記したＬＣＤ３００は、マイコン１００により制御される表示部分とＬＣＤドライバ２００により制御される表示部分との間に直流の電位差が印加されると、図５に示すように、マイコン１００により制御される表示部分とＬＣＤドライバ２００により制御される表示部分の間にすじ状の線が表示されてしまうといった問題が生じる。
【００１７】
上記すじ状の線が表示される場合について、図６に示すタイムチャートに従って説明する。図におけるＩＧは、車両のイグニッションキーの動作に連動したスイッチ信号であり、外部回路からマイコン１００に入力される。また、図には、マイコン１００による送信信号およびＬＣＤドライバ２００による送信信号の波形が示されている。
【００１８】
スイッチ信号ＩＧがオンになると、マイコン１００およびＬＣＤドライバ２００からそれぞれ０Ｖ〜５Ｖのパルス波形の送信信号が送信され、これらの送信信号に応じた表示内容がＬＣＤ３００の表示部に表示される。
【００１９】
そして、スイッチ信号ＩＧがオフになると、マイコン１００はＬＣＤドライバ２００にリセットコマンドを送信するとともに、ＬＣＤ３００へ何も表示させないブランク信号を送信する。
【００２０】
なお、ＬＣＤドライバ２００は、マイコン１００からリセットコマンドを受信すると、ＬＣＤ３００へ出力する送信信号を停止し、ＬＣＤ３００へ出力する送信信号、すなわちセグメント端子ＳＥＧ１２〜１７および４つのコモン端子ＣＯＭ２の出力電圧が５Ｖとなるように構成されている。
【００２１】
したがって、マイコン１００からのリセットコマンドにより、ＬＣＤドライバ２００はＬＣＤ３００への送信信号を停止し、ＬＣＤ３００へ出力する送信信号、すなわちセグメント端子ＳＥＧ１２〜１７および４つのコモン端子ＣＯＭ２の出力電圧は５Ｖとなる。
【００２２】
また、マイコン１００は、リセットコマンドの送信と同時に、ＬＣＤ３００にパルス波形の何も表示させないブランク信号を送信する。
【００２３】
上記したタイムチャートにおいて、マイコン１００がリセットコマンドを送信してからスリープ状態となるまでの間、ＬＣＤドライバ２００からの送信信号はセグメント部とコモン部ともに５Ｖとなっている。
【００２４】
この状態は、ＬＣＤ３００において、ＬＣＤドライバ２００の制御によるセグメント部とコモン部間の電位差は０Ｖであり、マイコン１００により制御される表示部分とＬＣＤドライバ２００により制御される表示部分の境界に、すじ状の線が表示されることはないが、セグメント部とコモン部間に直流の電圧が印加されるため、ＬＣＤ３００の寿命が短くなる等の影響がある。
【００２５】
また、マイコン１００は、スリープ状態になった場合やマイコン１００に内蔵されたＬＣＤドライバ２００の送信信号を停止した場合、ＬＣＤ３００へ出力する送信信号が０Ｖとなるように構成されている。
【００２６】
したがって、マイコン１００はスリープ状態になると、マイコン１００からＬＣＤ３００へ出力する送信信号が０Ｖとなり、ブランク信号の送信を停止する。
【００２７】
上記したタイムチャートにおいて、マイコン１００がスリープ状態となった場合、ＬＣＤ３００の表示部において、マイコン１００により制御される表示部分とＬＣＤドライバ２００により制御される表示部分の境界において液晶のチャージが発生し、すじ状の線が表示される。
【００２８】
図７に、マイコン１００により制御される表示部分とＬＣＤドライバ２００により制御される表示部分の境界のＬＣＤ３００の断面構成を示す。図に示すように、ＬＣＤ３００のセグメント部とコモン部は、それぞれ断面の上部と下部に平行に形成されており、図面左側はマイコン１００の制御による表示部で、図面右側はＬＣＤドライバ２００の制御による表示部となっている。また、マイコン１００の制御による表示部とＬＣＤドライバ２００の制御による表示部間は、短くなっている。
【００２９】
そして、マイコン１００がスリープ状態となった場合、図７の矢印に示すように、マイコン１００の制御によるセグメント部とＬＣＤドライバ２００の制御によるセグメント部間、マイコン１００の制御によるコモン部とＬＣＤドライバ２００の制御によるのコモン部間、マイコン１００の制御によるセグメント部とＬＣＤドライバ２００の制御によるコモン部間、マイコン１００の制御によるコモン部とＬＣＤドライバ２００の制御によるセグメント部間に直流の電位差（５Ｖ）が発生する。
【００３０】
上記ＬＣＤ３００は、ダイナミック駆動により交流動作させるように構成されているため、図７の矢印に示したように、ＬＣＤのセグメント部とコモン部間に直流の電位差が印加されると、液晶のチャージが発生し、マイコン１００により制御される表示部分とＬＣＤドライバ２００により制御される表示部分の境界に、すじ状の線が表示されるといった問題が生じる。
【００３１】
また、この状態が長時間続くとＬＣＤ内部で化学反応を起こし、寿命が極端に短くなってしまう。
【００３２】
本発明は上記問題に鑑みたもので、第１、第２のＬＣＤドライバにより１つのＬＣＤをダイナミック駆動するＬＣＤ駆動回路において、第１、第２の表示部の境界にすじ状の線が表示されないようにすることを目的とする。
【００３３】
【課題を解決するための手段】
上記目的を達成するため、請求項１に記載の発明では、液晶表示装置を第１、第２のＬＣＤドライバによりダイナミック駆動する液晶表示装置の駆動回路において、第１のＬＣＤドライバは、表示駆動の停止時に第１の表示部のセグメント端子およびコモン端子にローレベルの電圧を印加するものであり、第２のＬＣＤドライバは、表示駆動の停止時に第２の表示部のセグメント端子およびコモン端子にハイレベルの電圧を印するものであって、少なくとも第１、第２のドライバにより第１、第２の表示部の表示駆動を停止する状態において、第２のドライバへの電源供給を停止する電源供給停止手段を備えたことを特徴としている。
【００３４】
このように、少なくとも第１、第２のドライバにより第１、第２の表示部の表示駆動を停止する状態において、第２のドライバへの電源供給を停止することにより、液晶表示装置における第１の表示部と第２の表示部の間に直流の電圧が印加されず、第１、第２の表示部の境界にすじ状の線が表示されるのを防止することができる。
【００３５】
なお、請求項１に記載の液晶表示装置の駆動回路において、請求項２に記載の発明のように、第１、第２のドライバを制御する制御手段を備え、この制御手段は、第２の表示部の表示駆動を停止させるための表示駆動停止指令を第２のドライバに出力するとともに、第２のドライバへの電源供給を停止させるための電源供給停止指令を電源供給手段に出力するように構成することができる。
【００３６】
この場合、請求項３に記載の発明のように、制御手段は、第２のドライバに表示駆動停止指令を出力した後、第１のドライバによる第１の表示部の表示駆動を停止させるときに電源供給手段に電源供給停止指令を出力するようにすることができる。また、請求項４に記載の発明のように、制御手段は、第２のドライバに表示駆動停止指令を出力するときに、電源供給手段に電源供給停止指令を出力するようにすることができる。
【００３７】
【発明の実施の形態】
（第１実施形態）
本発明の一実施形態に係るＬＣＤ駆動回路の構成を図１に示す。本実施形態では、図４に示した液晶表示装置の駆動回路と比較して、マイコン１００からの制御信号により、ＬＣＤドライバ２００の電源供給を停止するスイッチ回路４００を備えた点が異なる。
【００３８】
スイッチ回路４００は、ＰＮＰ型バイポーラトランジスタ４１０ａ、ＮＰＮ型バイポーラトランジスタ４１０ｂおよび抵抗４２０〜４２４により構成されている。トランジスタ４１０ｂは、制御端子としてのベース端子が抵抗４２２を介してマイコン１００の出力端子Ｐ１に接続され、マイクロコンピュータ１００の制御信号が入力される。トランジスタ４１０ａは、電源５ＶとＬＣＤドライバ２００の電源端子（５Ｖ）間に設けられ、制御端子としてのベース端子が抵抗４２１を介してトランジスタ４１０ｂのコレクタに接続されている。
【００３９】
抵抗４２４は、ＬＣＤドライバの電源端子５Ｖと接地間に接続されたノイズ防止用コンデンサ２００ａと並列に接続されており、ＬＣＤドライバ２００の電源端子への電源供給を停止する際に、コンデンサ２００ａに蓄えられた電荷を放電させ、ＬＣＤドライバ２００の電源端子への電源供給の停止を速やかに行う。
【００４０】
上記した構成において、マイコン１００の出力端子Ｐ１から出力される制御信号がハイレベルになると、トランジスタ４１０ｂ、トランジスタ４１０ａはそれぞれオンとなり、電源からＬＣＤドライバ２００の電源端子へ電源が供給される。反対に、マイコン１００の出力端子Ｐ１から出力される制御信号がローレベルの場合、トランジスタ４１０ｂ、トランジスタ４１０ａはそれぞれオフとなり、電源からＬＣＤドライバ２００の電源端子への電源の供給が停止される。
【００４１】
図２に示すように、スイッチ信号ＩＧがオンになると、マイコン１００およびＬＣＤドライバ２００からそれぞれパルス波形の送信信号が送信され、これらの送信信号に応じた表示内容がＬＣＤ３００の表示部に表示される。
【００４２】
次に、スイッチ信号ＩＧがオフになると、マイコン１００はシリアルポートＳＯＵＴを介してリセットコマンドによりリセット信号（表示駆動停止指令）をＬＣＤドライバ２００に送信するとともに、ＬＣＤ３００へブランク信号を送信する。
【００４３】
そして、マイコン１００からのリセットコマンドにより、ＬＣＤドライバ２００はＬＣＤ３００への送信信号を停止し、ＬＣＤ３００へ出力する送信信号、すなわちセグメント端子ＳＥＧ１２〜１７および４つのコモン端子ＣＯＭ２の出力電圧は５Ｖとなる。
【００４４】
次に、スイッチ信号ＩＧがオフとなった後、マイコン１００は、メータの指針が確実に０に戻っていることを確認する等の一連の作業が終了すると、出力端子Ｐ１からローレベルの制御信号（電源供給停止指令）を出力し、同時にスリープ状態となる。
【００４５】
そして、ＬＣＤドライバ２００は、マイコン１００の出力端子Ｐ１から出力されるローレベルの制御信号により電源供給が停止され、ＬＣＤ３００への送信信号は０Ｖとなる。
【００４６】
上記したように、マイコン１００は、スリープ状態になると同時に、制御信号によりスイッチ回路４００を制御して、ＬＣＤドライバ２００の電源供給を停止するので、マイコン１００による表示部とＬＣＤドライバ２００による表示部の境界におけるすじ状の線が表示されないようにすることができる。
【００４７】
（第２実施形態）
第２の実施形態では、マイコン１００がＬＣＤドライバ２００にリセットコマンドを送信すると同時に、マイコン１００の出力端子Ｐ１からのローレベルの制御信号を出力し、ＬＣＤドライバ２００の電源供給を停止する。
【００４８】
図３に示すように、スイッチ信号ＩＧがオンになると、マイコン１００およびＬＣＤドライバ２００からそれぞれパルス波形の送信信号が送信され、これらの送信信号に応じた表示内容がＬＣＤ３００の表示部に表示される。
【００４９】
そして、スイッチ信号ＩＧがオフになると、マイコン１００はＬＣＤドライバ２００にリセットコマンドを送信するとともに、ＬＣＤ３００へ何も表示させないブランク信号を送信する。
【００５０】
また、マイコン１００は、リセットコマンドの送信と同時に、出力端子Ｐ１からローレベルの制御信号を出力する。
【００５１】
そして、ＬＣＤドライバ２００は、マイコン１００の出力端子Ｐ１から出力されるローレベルの制御信号により電源供給が停止され、ＬＣＤ３００への送信信号は０Ｖとなる。
【００５２】
上記したように、マイコン１００はＬＣＤドライバ２００にリセットコマンドを送信すると同時に、ローレベルの制御信号を出力してＬＣＤドライバ２００の電源供給が停止されるので、ＬＣＤドライバ２００の制御によるセグメント部とコモン部間に直流の電圧（５Ｖ）が印加されるのを防止することができる。
【００５３】
（その他の実施形態）
なお、上記した第１、第２実施形態において、電源供給停止手段として、トランジスタ４１０ｂ、トランジスタ４１０ａおよび抵抗４２０〜４２４により構成されたスイッチ回路４００の例を示したが、このようなスイッチ回路に限ることなく、マイコン１００の出力端子Ｐ１から出力される制御信号により、ＬＣＤドライバ２００に電源を供給、停止の切替を行うように構成されたものであれば、他の構成のものを用いるようにしてもよい。
【００５４】
また、上記した第１実施形態において、マイコン１００はスリープ状態になると同時に、ＬＣＤドライバ２００の電源供給を停止する例について説明したが、スリープ状態に限ることなく、マイコン１００からＬＣＤ３００への送信信号が０Ｖとなる場合に、ＬＣＤドライバ２００の電源供給を停止するようにしてもよい。
【００５５】
また、第１、第２実施形態において、ＬＣＤドライバ２００の表示駆動を停止させるための表示駆動停止指令として、リセットコマンドを用いるものを示したが、ＬＣＤドライバ２００からＬＣＤ３００への送信信号を停止させるコマンドであってもよい。
【図面の簡単な説明】
【図１】本発明の液晶表示装置の駆動回路の構成を示す図である。
【図２】本発明の第１実施形態におけるタイムチャートである。
【図３】本発明の第２実施形態におけるタイムチャートである。
【図４】本発明者らが検討を行った液晶表示装置の駆動回路の構成を示す図である。
【図５】本発明において使用されるＬＣＤの構成を示す図である。
【図６】マイコンおよびＬＣＤドライバの送信信号のタイムチャートである。
【図７】マイコンによる表示部分とＬＣＤドライバによる表示部分の境界のＬＣＤの断面構成を示す図である。
【符号の説明】
１００…マイコン、２００…ＬＣＤドライバ、３００…ＬＣＤ、
２００ａ…コンデンサ、４００…スイッチ回路、
４１０ａ、４１０ｂ…トランジスタ、４２０〜４２４…抵抗。
【図１】
2004138969.tif 000003
【図２】
2004138969.tif 000004
【図３】
2004138969.tif 000005
【図４】
2004138969.tif 000006
【図５】
2004138969.tif 000007
【図６】
2004138969.tif 000008
【図７】
2004138969.tif 000009